(57)【要約】【課題】空気清浄器における演算能力を低く抑える。【解決手段】制御システム（１）は、サーバ（１００）と、空気清浄器（１０）とを備えている。空気清浄器（１０）は、集塵フィルタ（２１）の消耗度を算出するための情報をサーバ（１００）に出力し、サーバ（１００）は、上記情報に基づいて、集塵フィルタ（２１）の消耗度を算出する。そして、制御システム（１）は、算出した消耗度をユーザに報知する。【選択図】図１
2018179389.tif 000002
【特許請求の範囲】
【請求項１】
ファンにより吸い込んだ空気を、フィルタを用いて清浄する空気清浄器を制御する制御システムであって、
サーバと、
前記空気清浄器とを備えており、
前記空気清浄器は、前記フィルタの消耗度を算出するための情報を前記サーバに出力し、
前記サーバは、前記空気清浄器から出力された前記情報に基づいて、前記フィルタの消耗度を算出し、
算出した消耗度をユーザに報知することを特徴とする制御システム。
【請求項２】
前記空気清浄器は、第１報知部を備えており、
前記サーバは、前記算出した前記フィルタの消耗度を前記空気清浄器に出力し、
前記空気清浄器は、前記サーバから出力された前記フィルタの消耗度を前記第１報知部により報知することを特徴とする請求項１に記載の制御システム。
【請求項３】
前記サーバとの通信を行う情報処理端末を備え、
前記情報処理端末は、第２報知部を備え、
前記サーバは、前記算出した前記フィルタの消耗度を前記情報処理端末に出力し、
前記情報処理端末は、前記サーバから出力された前記フィルタの消耗度を前記第２報知部により報知することを特徴とする請求項１に記載の制御システム。
【請求項４】
前記空気清浄器は、
前記フィルタとして、前記空気に含まれる塵埃を捕集する集塵フィルタと、
前記集塵フィルタの風上側に配置され、前記集塵フィルタを通過する空気に含まれる単位体積当たりの塵埃の粒子個数を検知する塵埃センサとを備え、
前記ファンの駆動情報および、前記塵埃センサが検知した前記粒子個数を前記情報として前記サーバに出力し、
前記サーバは、前記ファンの駆動情報および前記粒子個数に基づいて、前記集塵フィルタに蓄積された総集塵量を算出し、当該総集塵量に基づいて前記集塵フィルタの消耗度を算出することを特徴とする請求項１〜３のいずれか１項に記載の制御システム。
【請求項５】
前記空気清浄器は、
前記フィルタとして、前記空気に含まれる臭気物質を捕集する脱臭フィルタと、
前記脱臭フィルタの風上側に配置され、前記脱臭フィルタを通過する空気に含まれる臭気物質の濃度を検知するガスセンサとを備え、
前記ファンの駆動情報および、前記ガスセンサが検知した前記臭気物質の濃度を前記情報として前記サーバに出力し、
前記サーバは、前記ファンの駆動情報および前記臭気物質の濃度に基づいて、前記脱臭フィルタに蓄積された総臭気物量を算出し、当該総臭気物量に基づいて前記脱臭フィルタの消耗度を算出することを特徴とする請求項１〜４のいずれか１項に記載の制御システム。
【請求項６】
ファンにより吸い込んだ空気を、フィルタを用いて清浄する空気清浄器から、前記フィルタの消耗度を算出するための情報を取得する取得部と、
前記取得した情報に基づいて、前記フィルタの消耗度を算出する算出部と、
前記算出した消耗度を前記空気清浄器に出力する出力部とを備えることを特徴とする情報処理装置。
【請求項７】
ファンにより吸い込んだ空気を、フィルタを用いて清浄する空気清浄器であって、
前記フィルタの消耗度を算出するための情報を出力する出力部と、
前記情報に基づいて算出された前記消耗度を取得する取得部と、
前記取得した消耗度を報知する第１報知部とを備えることを特徴とする空気清浄器。
【発明の詳細な説明】
【技術分野】
【０００１】
本発明は、空気清浄器を制御する制御システムなどに関する。
【背景技術】
【０００２】
各種のフィルタを用いて設置空間の空気を清浄する空気清浄器が知られている。空気清浄器が備えるフィルタは、空気清浄器が運転するにつれて消耗するため、一定以上消耗した場合にはフィルタを交換する必要がある。そのため、フィルタの消耗度をユーザに報知し、ユーザにフィルタの交換を促す必要がある。
【０００３】
例えば、特許文献１には、外部から吸引した空気に含まれる塵埃を除去する集塵フィルタを備える空気清浄器が開示されている。特許文献１に開示されている空気清浄器では、集塵フィルタを通過した吸引空気と排出空気若しくは機外の室内空気との気圧差を検出する圧力センサを備えており、圧力差が所定の値になれば集塵フィルタの汚れ検出信号を出している。
【先行技術文献】
【特許文献】
【０００４】
【特許文献１】特開平１０−５２６１９号公報（１９９８年２月２４日公開）
【特許文献２】特開２０１４−２０６３５号公報（２０１４年２月３日公開）
【発明の概要】
【発明が解決しようとする課題】
【０００５】
しかしながら、特許文献１に開示された空気清浄器では、空気清浄器において、圧力センサの検出結果を用いて集塵センサの消耗度を演算しているため、空気清浄器における演算能力を高くする必要があるという問題があった。
【０００６】
本発明の一態様は、空気清浄器における演算処理の負荷を低減することができる制御システム、情報処理装置および空気清浄器を実現することを目的とする。
【課題を解決するための手段】
【０００７】
上記の課題を解決するために、本発明の一態様に係る制御システムは、ファンにより吸い込んだ空気を、フィルタを用いて清浄する空気清浄器を制御する制御システムであって、サーバと、前記空気清浄器とを備えており、前記空気清浄器は、前記フィルタの消耗度を算出するための情報を前記サーバに出力し、前記サーバは、前記空気清浄器から出力された前記情報に基づいて、前記フィルタの消耗度を算出し、算出した消耗度をユーザに報知する。
【０００８】
上記の課題を解決するために、本発明の一態様に係る情報処理装置は、ファンにより吸い込んだ空気を、フィルタを用いて清浄する空気清浄器から、前記フィルタの消耗度を算出するための情報を取得する取得部と、前記取得した情報に基づいて、前記フィルタの消耗度を算出する算出部と、前記算出した消耗度を前記空気清浄器に出力する出力部とを備える。
【０００９】
上記の課題を解決するために、本発明の一態様に係る空気清浄器は、ファンにより吸い込んだ空気を、フィルタを用いて清浄する空気清浄器であって、前記フィルタの消耗度を算出するための情報を出力する出力部と、前記情報に基づいて算出された前記消耗度を取得する取得部と、前記取得した消耗度を報知する報知部とを備える。
【発明の効果】
【００１０】
本発明の一態様によれば、空気清浄器における演算処理の負荷を低減することができる。
【図面の簡単な説明】
【００１１】
【図１】本発明の実施形態１に係る制御システムの構成を示すブロック図である。
【図２】上記制御システムにおける空気清浄器の構成を示す断面図である。
【図３】本発明の実施形態２に係る制御システムの構成を示すブロック図である。
【図４】本発明の実施形態３に係る制御システムの構成を示すブロック図である。
【発明を実施するための形態】
【００１２】
〔実施形態１〕
以下、本発明の一実施形態について、図面を参照しながら詳細に説明する。
【００１３】
図１は、実施形態１における制御システム１の構成を示すブロック図である。制御システム１は、図１に示すように、空気清浄器１０と、サーバ（情報処理装置）１００と、ネットワークＮＷとを備えている。空気清浄器１０およびサーバ１００は、ネットワークＮＷにより接続されており、互いに通信できるようになっている。本実施形態では、ネットワークＮＷはインターネットである。なお、本実施形態の空気清浄器は、加湿空気清浄器であるが、本発明の空気清浄器は、加湿空気清浄器に限られず、ファンにより吸入口から吸い込んだ空気を、フィルタを用いて清浄し、吹出口から吹き出して設置空間の空気を清浄する空気清浄器であればどのような空気清浄器であってもよく、加湿を行わない空気清浄器であってもよい。
【００１４】
図２は、実施形態１における空気清浄器１０の構成を示す断面図である。空気清浄器１０は、図１および図２に示すように、筐体１１と、ファン１２と、ルーバー１３と、集塵部２０と、脱臭部３０と、加湿部４０と、通信部５０と、表示部（第１報知部）６０と、制御部７０とを備えている。
【００１５】
筐体１１は、空気清浄器１０の各部を収納する。筐体１１は、上下方向に垂直な断面が略矩形となっており、上方向に向かうにつれて断面積が小さくなっている。筐体１１の背面（図２に示す−Ｘ軸側の側面）には、空気を取り込むための吸入口１１ａが設けられている。
【００１６】
ファン１２は、吸入口１１ａから空気を吸入し、吸入した空気を外部へ吹き出させるためのファンである。ファン１２は、モータ（不図示）により回転させられる。上記モータの駆動は、後述する制御部７０により制御される。ファン１２は、従来のファンを用いることができるため、詳細な説明は省略する。ファン１２の回転数および回転時間（以降では、情報Ａとも呼称する）は、制御部７０に出力される。筐体１１の内部には、ファン１２から上方に向かって通風路Ｐが形成されている。
【００１７】
ルーバー１３は、空気清浄器１０の吹出口に設けられ、空気清浄器１０からの、通風路Ｐを通過した空気の吹出方向を調整するための風向板である。
【００１８】
集塵部２０は、吸入口１１ａから筐体１１の内部に取り込まれた空気に含まれる微細な塵埃を捕集、除去する。集塵部２０は、図１に示すように、集塵フィルタ（ＨＥＰＡ（High-Efficiency Particulate Airフィルタ））２１と、塵埃センサ２２とを備えている。集塵フィルタ２１は、空気に含まれる微細な塵埃を捕集、除去するためのフィルタである。集塵フィルタ２１は、従来の集塵フィルタを用いることができるため、詳細な説明を省略する。塵埃センサ２２は、集塵フィルタ２１の風上側に配置されており、集塵フィルタ２１を通過する空気に含まれる単位体積当たりの塵埃の粒子個数Ｎを検知するためのセンサである。塵埃センサ２２によって検知された単位体積当たりの塵埃の粒子個数Ｎ（以降では、情報Ｂとも呼称する）は、後述する制御部７０へ出力される。
【００１９】
脱臭部３０は、集塵部２０を通過した空気に含まれる臭気物質（例えば、ホルムアルデヒド、アンモニアなど）を捕集、除去する。脱臭部３０は、図１に示すように、脱臭フィルタ３１と、ガスセンサ３２とを備えている。脱臭フィルタ３１は、空気に含まれる臭気物質を吸着することにより、臭気物質を捕集、除去するためのフィルタである。脱臭フィルタ３１は、従来の脱臭フィルタを用いることができるため、詳細な説明を省略する。ガスセンサ３２は、脱臭フィルタ３１の風上側に配置されており、脱臭フィルタ３１を通過する空気に含まれる臭気物質の濃度を検知するためのセンサである。ガスセンサ３２によって検知された臭気物質の濃度（以降では、情報Ｃとも呼称する）は、後述する制御部７０へ出力される。
【００２０】
加湿部４０は、脱臭部３０を通過した空気に水分を供給する。加湿部４０は、図１に示すように、加湿フィルタ４１と、水槽４２と、給水タンク４３と、水量検出センサ４４とを備えている。
【００２１】
加湿フィルタ４１は、空気に水分を供給するためのフィルタである。加湿フィルタ４１は、保持枠（不図示）に収納されており、レーヨンなどの吸水性を有すると共に通気が可能な材料製のシートを蛇腹状に折り重ねて平板状に形成されている。加湿フィルタ４１は、図示しない回転機構により、回転させられる。
【００２２】
水槽４２は、加湿フィルタ４１の下側に配置されており、加湿フィルタ４１に対して水を供給するためのタンクである。加湿フィルタ４１の下部は、水槽４２内に浸水している。給水タンク４３は、ユーザによって供給された水を貯留し、水槽４２に対して水を供給するためのタンクである。給水タンク４３は、水槽４２内の水位が一定となるように水槽４２に水を供給する。
【００２３】
水量検出センサ４４は、給水タンク４３に貯留されている水量を検知するためのセンサである。水量検出センサ４４は、給水タンク４３に貯留されている水量を検知することができるセンサであればどのようなセンサであってもよい。水量検出センサ４４は、例えば、給水タンク４３に貯留されている水の重さを測定することにより、給水タンク４３に貯留されている水量を検知してもよい。水量検出センサ４４によって検知された給水タンク４３に貯留されている水量（以降では、情報Ｄとも呼称する）は、後述する制御部７０へ出力される。
【００２４】
通信部５０は、ネットワークＮＷと接続されている。通信部５０は、ネットワークＮＷを介して、後述する制御部７０から出力された情報をサーバ１００に出力する。また、通信部５０は、ネットワークＮＷを介して、サーバ１００から出力された情報を取得する。通信部５０は、有線通信によりネットワークＮＷに接続されてもよいし、無線通信によりネットワークＮＷに接続されてもよい。
【００２５】
表示部６０は、制御部７０からの指示を受けて各フィルタ（集塵フィルタ２１、脱臭フィルタ３１、および加湿フィルタ４１）の消耗度および各フィルタを交換すべき旨をユーザに表示（報知）する。表示部６０は、各フィルタの交換をユーザに報知できるものであれば特に制限されるものではなく、例えば、液晶パネルによって画像や文字を表示する構成であってもよい。表示部６０は、各フィルタの消耗度を、グラフを用いて表示してもよい。
【００２６】
制御部７０は、ファン１２、ルーバー１３、集塵部２０、脱臭部３０、加湿部４０、通信部５０、および表示部６０と接続されており、これらの各部を制御する。制御部７０は、各部から取得した各種情報（上記情報Ａ〜Ｄ）を取得する。また、制御部７０は、出力部７１と、取得部７２とを備えている。
【００２７】
出力部７１は、通信部５０およびネットワークＮＷを介して、取得した各種情報をサーバ１００へ出力する。取得部７２は、サーバ１００から出力された情報を、通信部５０を介して取得する。制御部７０は、取得した情報を表示部６０に表示させる。
【００２８】
サーバ１００は、図１に示すように、通信部１０１と、記憶部１０２と、制御部１０３とを備えている。
【００２９】
通信部１０１は、ネットワークＮＷを介して空気清浄器１０と通信する。通信部１０１は、ネットワークＮＷを介して、空気清浄器１０の制御部７０から出力された情報を取得する。また、通信部１０１は、ネットワークＮＷを介して、後述する制御部１０３からから出力された情報を出力する。
【００３０】
記憶部１０２は、後述する制御部１０３が各フィルタの消耗度を算出する際に使用する各種データを記憶している。
【００３１】
制御部１０３は、通信部１０１、および記憶部１０２と接続されており、これらの各部を制御する。制御部１０３は、通信部１０１を介して空気清浄器１０から取得した各種情報を用いて、集塵フィルタ２１、脱臭フィルタ３１、および加湿フィルタ４１の消耗度を算出する。制御部１０３は、集塵フィルタ２１の消耗度を算出する第１演算部（算出部）１１１と、脱臭フィルタ３１の消耗度を算出する第２演算部（算出部）１１２と、加湿フィルタ４１の消耗度を算出する第３演算部（算出部）１１３とを備えている。また、制御部１０３は、通信部１０１を介して空気清浄器１０から出力された情報を取得する取得部としての機能、および通信部１０１を介して第１演算部１１１、第２演算部１１２、および第３演算部１１３によって算出された各フィルタに消耗度を空気清浄器１０に出力する出力部としての機能を有している。
【００３２】
次に、各フィルタ（集塵フィルタ２１、脱臭フィルタ３１、および加湿フィルタ４１）の消耗度、および各フィルタを交換すべき旨をユーザに報知する方法について詳細に説明する。
【００３３】
（集塵フィルタ２１の消耗度・交換の報知）
集塵フィルタ２１は、集塵量が多くなるにつれて、集塵能力が低下したり、圧力損失が増加したりするなど性能が劣化する。そのため、集塵量が所定の量よりも多くなり集塵フィルタ２１が正常に機能できなくなると、集塵フィルタ２１を交換する必要が生じる。そのため、制御システム１では、下記に詳細に示すように、集塵フィルタ２１の消耗度および集塵フィルタ２１を交換すべき旨をユーザに報知するようになっている。
【００３４】
ここで、従来の空気清浄器では、例えば、特許文献１に記載されているように、集塵フィルタに蓄積される集塵量を直接検出していない。そのため、集塵量を精度良く算出することができず、集塵フィルタの消耗度を精度良く算出することができないという問題があった。
【００３５】
これに対して、制御システム１では、第１演算部１１１が、通信部１０１が空気清浄器１０から取得した情報Ａおよび情報Ｂを用いて集塵フィルタ２１の消耗度を算出する。
【００３６】
具体的には、第１演算部１１１は、まず、通信部１０１を介して、ファン１２の回転数および回転時間（すなわち、情報Ａ）を取得する。ここで、記憶部１０２には、ファン１２の回転数から、単位時間あたりに集塵フィルタ２１を通過する空気の体積を算出する算出式が予め記憶されている。第１演算部１１１は、上記算出式を記憶部１０２から読み出し、当該算出式に取得したファン１２の回転数を適用することにより、単位時間あたりに集塵フィルタ２１を通過する空気の体積Ｖを算出する。
【００３７】
次に、第１演算部１１１は、予め記憶部１０２に記憶させておいた、集塵フィルタ２１の集塵効率Ｅ１を読み出す。また、第１演算部１１１は、通信部１０１を介して、集塵フィルタ２１を通過する空気に含まれる単位体積当たりの塵埃の粒子個数Ｎ（すなわち、情報Ｂ）を取得する。
【００３８】
そして、第１演算部１１１は、体積Ｖと、集塵効率Ｅ１と、粒子個数Ｎとを乗算することにより、単位時間あたりに集塵フィルタ２１に蓄積する塵埃の粒子個数を算出する。次に第１演算部１１１は、情報Ａに含まれるファン１２の回転時間において、算出した塵埃の粒子個数を時間積分することにより、集塵フィルタ２１に蓄積された総集塵量を算出する。
【００３９】
次に、第１演算部１１１は、集塵フィルタ２１の現時点での消耗度を算出する。具体的には、第１演算部１１１は、集塵フィルタ２１の消耗度として、集塵フィルタ２１が正常に機能できなくなる最小の集塵量に対する、算出した総集塵量の割合を算出する。集塵フィルタ２１が正常に機能できなくなる最小の集塵量は、予め記憶部１０２に記憶されている。
【００４０】
次に、第１演算部１１１は、算出した集塵フィルタ２１の消耗度を通信部１０１に出力する。次に、通信部１０１が、ネットワークＮＷを介して、第１演算部１１１から出力された集塵フィルタ２１の消耗度を空気清浄器１０に出力する。
【００４１】
次に、空気清浄器１０の制御部７０が通信部５０を介して、集塵フィルタ２１の消耗度を取得する。制御部７０は、取得した集塵フィルタ２１の消耗度が１００％未満である場合、集塵フィルタ２１の消耗度を表示部６０に表示させる。また、制御部７０は、取得した集塵フィルタ２１の消耗度が１００％以上である場合、集塵フィルタ２１の交換を促す表示を表示部６０に表示させる。
【００４２】
このように、制御システム１では、第１演算部１１１が、ファン１２の駆動情報（ファン１２の回転数および回転時間）、および、塵埃センサ２２によって検知した集塵フィルタ２１を通過する空気に含まれる単位体積当たりの塵埃の粒子個数Ｎに基づいて、集塵フィルタ２１に蓄積された総集塵量を算出し、当該総集塵量に基づいて集塵フィルタ２１の消耗度を算出する。上記の構成によれば、塵埃センサ２２によって、集塵フィルタ２１に蓄積される集塵量を直接検出することができる。そのため、集塵量を精度良く算出することができ、集塵フィルタ２１の消耗度を精度良く算出することができる。
【００４３】
（脱臭フィルタ３１の消耗度・交換の報知）
脱臭フィルタ３１は、臭気物質の吸着量が多くなるにつれて、臭気物質の除去性能が劣化する。そのため、吸着量が所定の量よりも多くなり脱臭フィルタ３１が正常に機能できなくなると、脱臭フィルタ３１を交換する必要が生じる。そのため、制御システム１では、下記に詳細に示すように、脱臭フィルタ３１の消耗度および脱臭フィルタ３１を交換すべき旨をユーザに報知するようになっている。
【００４４】
ここで、従来の空気清浄器では、例えば、空気清浄器が設置される室内の臭気物質の濃度を予めある濃度であると仮定し、仮定した濃度に基づいて、脱臭フィルタの消耗度を算出していた。そのため、脱臭フィルタの消耗度を精度良く算出することができないという問題があった。
【００４５】
これに対して、制御システム１では、第２演算部１１２が、通信部１０１が空気清浄器１０から取得した情報Ａおよび情報Ｃを用いて脱臭フィルタ３１の消耗度を算出する。
【００４６】
具体的には、第２演算部１１２は、まず、単位時間あたりに脱臭フィルタ３１を通過する空気の体積Ｖを算出する。体積Ｖの算出方法は、集塵フィルタ２１の消耗度の算出における算出方法と同様であるため、ここでの説明は省略する。
【００４７】
次に、第２演算部１１２は、予め記憶部１０２に記憶させておいた、脱臭フィルタ３１の吸着効率Ｅ２を読み出す。また、第２演算部１１２は、通信部１０１を介して、臭気物質の濃度Ｍ（すなわち、情報Ｃ）を取得する。
【００４８】
そして、第２演算部１１２は、体積Ｖと、吸着効率Ｅ２と、濃度Ｍとを乗算することにより、単位時間あたりに脱臭フィルタ３１に吸着する臭気物質の量を算出する。次に第２演算部１１２は、情報Ａに含まれるファン１２の回転時間において、算出した臭気物質の量を時間積分することにより、脱臭フィルタ３１に吸着された総臭気物量（総吸着臭気物量）を算出する。
【００４９】
次に、第２演算部１１２は、脱臭フィルタ３１の現時点での消耗度を算出する。具体的には、第２演算部１１２は、脱臭フィルタ３１の消耗度として、脱臭フィルタ３１が正常に機能できなくなる最小の吸着臭気物量に対する、算出した総吸着臭気物量の割合を算出する。脱臭フィルタ３１が正常に機能できなくなる最小の吸着臭気物量は、予め記憶部１０２に記憶されている。
【００５０】
次に、第２演算部１１２は、算出した脱臭フィルタ３１の消耗度を通信部１０１に出力する。次に、通信部１０１が、ネットワークＮＷを介して、第２演算部１１２から出力された脱臭フィルタ３１の消耗度を空気清浄器１０に出力する。
【００５１】
次に、空気清浄器１０の制御部７０が通信部５０を介して、脱臭フィルタ３１の消耗度を取得する。制御部７０は、取得した脱臭フィルタ３１の消耗度が１００％未満である場合、脱臭フィルタ３１の消耗度を表示部６０に表示させる。また、制御部７０は、取得した脱臭フィルタ３１の消耗度が１００％以上である場合、脱臭フィルタ３１の交換を促す表示を表示部６０に表示させる。
【００５２】
このように、制御システム１では、第２演算部１１２が、ファン１２の駆動情報（ファン１２の回転数および回転時間）、および、ガスセンサ３２が検知した臭気物質の濃度に基づいて、脱臭フィルタ３１に蓄積された総臭気物量を算出し、当該総臭気物量に基づいて脱臭フィルタ３１の消耗度を算出する。上記の構成によれば、ガスセンサ３２によって、脱臭フィルタ３１に吸着される臭気物量を直接検出することができる。そのため、吸着された臭気物量を精度良く算出することができ、脱臭フィルタ３１の消耗度を精度良く算出することができる。
【００５３】
（加湿フィルタ４１の消耗度・交換の報知）
加湿フィルタ４１は、積算の加湿量が多くなるにつれて、水に含まれるミネラルが加湿フィルタ４１に付着してしまい、加湿性能が劣化する。そのため、積算の加湿量が所定の量よりも多くなり加湿フィルタ４１が正常に機能できなくなると、加湿フィルタ４１を交換する必要が生じる。そのため、制御システム１では、下記に詳細に示すように、加湿フィルタ４１の消耗度および加湿フィルタ４１を交換すべき旨をユーザに報知するようになっている。
【００５４】
ここで、従来では、空気清浄器の運転時間に応じて加湿フィルタの総加湿量を推定し、推定した総加湿量に基づいて加湿フィルタの消耗度を算出していた。そのため、加湿フィルタの消耗度を精度良く算出することができないという問題があった（例えば、特許文献２）。
【００５５】
これに対して、制御システム１では、第３演算部１１３が、通信部１０１が空気清浄器１０から取得した情報Ａおよび情報Ｄを用いて加湿フィルタ４１の消耗度を算出する。
【００５６】
具体的には、第３演算部１１３は、まず、通信部１０１を介して、ファン１２の回転数および回転時間（すなわち、情報Ａ）を取得する。ここで、記憶部１０２には、ファン１２の所定の回転数である場合における、加湿フィルタ４１にミネラルが付着していない場合に単位時間あたりに加湿フィルタ４１によって加湿される（蒸発される）水量（加湿量Ｖｎとする）が記憶されている。また、記憶部１０２には、ファン１２の所定の回転数である場合において、加湿フィルタ４１が正常に機能できなくなる最大の単位時間当たりの加湿量（加湿量Ｖｍとする）が記憶されている。第３演算部１１３は、記憶部１０２から、加湿量Ｖｎおよび加湿量Ｖｍを読み出す。
【００５７】
次に、第３演算部１１３は、通信部１０１を介して、給水タンク４３に貯留されている水量（すなわち、情報Ｄ）を取得し、その変化から給水タンク４３に貯留されている水量の単位時間当たりの減少量（加湿量Ｖａとする）を算出する。
【００５８】
次に、第３演算部１１３は、加湿フィルタ４１の現時点での消耗度を算出する。具体的には、まず、第３演算部１１３は、下記式（１）を用いて消耗度を算出する。
１００×（Ｖｎ−Ｖａ）／（Ｖｎ−Ｖｍ）・・・（１）
すなわち、第３演算部１１３は、「加湿フィルタ４１にミネラルが付着していない場合における加湿量と、加湿フィルタ４１が正常に機能できなくなる最大の単位時間当たりの加湿量との差」に対する「加湿フィルタ４１にミネラルが付着していない場合における加湿量と、給水タンク４３に貯留されている水量の単位時間当たりの減少量との差」の比を加湿フィルタ４１の消耗度として算出する。
【００５９】
次に、第３演算部１１３は、算出した加湿フィルタ４１の消耗度を通信部１０１に出力する。次に、通信部１０１が、ネットワークＮＷを介して、第３演算部１１３から出力された加湿フィルタ４１の消耗度を空気清浄器１０に出力する。
【００６０】
次に、空気清浄器１０の制御部７０が通信部５０を介して、加湿フィルタ４１の消耗度を取得する。制御部７０は、取得した加湿フィルタ４１の消耗度が１００％未満である場合、加湿フィルタ４１の消耗度を表示部６０に表示させる。また、制御部７０は、取得した加湿フィルタ４１の消耗度が１００％以上である場合、加湿フィルタ４１の交換を促す表示を表示部６０に表示させる。
【００６１】
以上のように、制御システム１では、第３演算部１１３が、水量検出センサ４４が検出した給水タンク４３に貯留されている水量に基づいて、加湿フィルタ４１の加湿量Ｖａを算出し、当該加湿量Ｖａに基づいて加湿フィルタ４１の消耗度を算出する。上記の構成によれば、加湿フィルタ４１による加湿量を直接検出しているので、加湿フィルタ４１の消耗度を精度良く算出することができる。
【００６２】
以上のように、本実施形態における制御システム１では、空気清浄器１０が、ネットワークＮＷを介して各フィルタの消耗度を算出するための情報（情報Ａ〜Ｄ）をサーバ１００に出力し、サーバ１００が、空気清浄器１０から出力された情報に基づいて、各フィルタの消耗度を算出し、算出した消耗度をユーザに報知する。
【００６３】
上記の構成によれば、各フィルタの消耗度の算出をサーバ１００にて行うことができる。その結果、空気清浄器１０の演算処理の負荷を低減できるとともに、ユーザに対して各フィルタ（集塵フィルタ２１、脱臭フィルタ３１、および加湿フィルタ４１）の消耗度、および各フィルタを交換すべき旨をユーザに報知することができる。
【００６４】
なお、実施形態１における空気清浄器１０では、表示部６０により、各フィルタの消耗度および各フィルタを交換すべき旨を画像または文字によってユーザに報知する態様であったが、本発明の空気清浄器１０はこれに限られるものではない。本発明の一態様における空気清浄器では、報知部としての音声出力部を備え、当該音声出力部によって各フィルタの消耗度および各フィルタを交換すべき旨をユーザに音声で報知する態様であってもよい。また、本発明の一態様における空気清浄器では、報知部としての発光部を備え、当該発光部によって各フィルタの消耗度および各フィルタを交換すべき旨をユーザに光で報知する態様であってもよい。
【００６５】
また、サーバ１００は周辺地域の複数の空気清浄器１０とネットワークＮＷを介して接続されていてもよい。これにより、例えば、複数の空気清浄器１０のうち１つの空気清浄器１０における単位時間当たりの集塵量が一時的に平均よりも著しく多くなった場合に、当該１つの空気清浄器１０のユーザに対して、集塵フィルタ２１の負担を軽減させる行動（例えば、当該空気清浄器１０が設置されている部屋の窓を開けて換気する）を促すことができる。
【００６６】
また、空気清浄器１０に位置情報取得部を備えさせ、当該位置情報取得部により取得した空気清浄器１０の設置地域における水道水の硬度（ミネラルの濃度）を用いて、消耗度をさらに精度良く算出させることもできる。
【００６７】
〔実施形態２〕
本発明の他の実施形態について、図面に基づいて説明すれば、以下のとおりである。なお、説明の便宜上、前記実施形態にて説明した部材と同じ機能を有する部材については、同じ符号を付記し、その説明を省略する。
【００６８】
本実施形態における制御システム１Ａでは、加湿フィルタ４１の消耗度の算出方法が、実施形態１における制御システム１にける算出方法とは異なっている。
【００６９】
図３は、実施形態２における制御システム１Ａの構成を示すブロック図である。
【００７０】
図３に示すように、制御システム１Ａは、空気清浄器１０Ａと、サーバ１００Ａとを備えている。
【００７１】
空気清浄器１０Ａは、実施形態１における加湿部４０に代えて加湿部４０Ａを備えている。加湿部４０Ａは、実施形態１における水量検出センサ４４を備えていない点以外は、実施形態１における加湿部４０と同様である。
【００７２】
また、空気清浄器１０Ａは、実施形態１における空気清浄器１０の構成に加えて、温度計８０と、湿度計９０とを備えている。温度計８０は、空気清浄器１０の周囲の温度Ｔを測定し、測定結果を制御部７０へ出力する。湿度計９０は、空気清浄器１０の周囲の相対湿度Ｈを測定し、測定結果を制御部７０へ出力する。
【００７３】
制御部７０は、温度計８０および湿度計９０からそれぞれ取得した温度Ｔおよび相対湿度Ｈを取得し、取得した温度Ｔおよび相対湿度Ｈを通信部５０に出力する。通信部５０は、ネットワークＮＷを介して、制御部７０から出力された温度Ｔおよび相対湿度Ｈをサーバ１００Ａに出力する。
【００７４】
サーバ１００Ａは、実施形態１にける制御部１０３に代えて、制御部１０３Ａを備えている。制御部１０３Ａは、実施形態１における第３演算部１１３に代えて、第３演算部１１３Ａを備えている。
【００７５】
次に、制御システム１Ａにおける、第３演算部１１３Ａによる加湿フィルタ４１の消耗度を算出方法について説明する。第３演算部１１３Ａは、通信部１０１が空気清浄器１０から取得した空気清浄器１０の周囲の温度Ｔ、および空気清浄器１０の周囲の相対湿度Ｈを用いて加湿フィルタ４１の消耗度を算出する。
【００７６】
第３演算部１１３Ａは、加湿フィルタ４１の消耗度として、下記の式（２）に示すように、加湿フィルタ４１が交換されてから加湿フィルタ４１が正常に機能できなくなるまでの総加湿量Ｕ１に対する、加湿フィルタ４１が交換されてから現在までの総加湿量Ｕ２の割合で算出する。
１００×Ｕ２／Ｕ１・・・（２）
なお、上記の総加湿量Ｕ１は、予め記憶部１０２に記憶されている。
【００７７】
次に、第３演算部１１３Ａによる総加湿量Ｕ２の算出方法について説明する。まず、従来における、加湿フィルタ４１が交換されてから加湿フィルタ４１が正常に機能できなくなるまでの総加湿量Ｕｒの算出方法について説明する。従来では、ファン１２の回転数に応じて単位時間当たりの加湿量Ｕｒ１を予め記憶させておき、単位時間当たりの加湿量Ｕｒ１を時間積分することにより総加湿量Ｕｒ２を算出していた。しかしながら、加湿量Ｕｒ１は、周囲の温度および相対湿度により変化するため、従来の方法では、加湿量Ｕｒ１および総加湿量Ｕｒ２を正確に算出することができなかった。
【００７８】
そこで、本実施形態における第３演算部１１３Ａは、通信部１０１が空気清浄器１０Ａから取得した空気清浄器１０の周囲の温度Ｔ、および空気清浄器１０の周囲の相対湿度Ｈを用いて、総加湿量Ｕ２を算出する。
【００７９】
具体的には、第３演算部１１３Ａは、まず、Ｗｅｘｌｅｒ−Ｈｙｌａｎｄの式を用いて、温度Ｔ（単位：℃）、相対湿度Ｈ（単位：％ＲＨ）における飽和水蒸気圧ｆｓ１（単位：ｋＰａ）を算出する。次に、第３演算部１１３Ａは、下記の式（３）を用いて、算出した飽和水蒸気圧ｆｓ１から水蒸気圧ｆｓ１´（単位：ｋＰａ）を算出する。
ｆｓ１´＝ｆｓ１×Ｈ／１００・・・（３）
次に、第３演算部１１３Ａは、下記の式（４）を用いて、算出した水蒸気圧ｆｓ１´から絶対湿度Ｘ（単位：ｋｇ／ｋｇＤＡ）を算出する。
Ｘ＝０．６２２×ｆｓ１´／（１０１．３−ｆｓ１´）・・・（４）
次に、第３演算部１１３Ａは、下記の式（５）を用いて、算出した絶対湿度Ｘから、温度Ｔ、相対湿度Ｈにおける比エンタルピーｈ（単位：ｋＪ／ｋｆ（ＤＡ））を算出する。
ｈ＝０．４１８４×｛０．２４０Ｔ＋（０．４３１Ｔ＋５９７．３）×Ｘ｝・・・（５）
次に、第３演算部１１３Ａは、相対湿度が１００％である場合に、比エンタルピーｈと同じ比エンタルピーとなる温度Ｔ２を算出する。温度Ｔ２は、上述した比エンタルピーｈの算出手順を逆に演算することにより算出することができる。
【００８０】
次に、第３演算部１１３Ａは、Ｗｅｘｌｅｒ−Ｈｙｌａｎｄの式を用いて、算出した温度Ｔ２における飽和水蒸気圧ｆｓ２を算出する。
【００８１】
次に、第３演算部１１３Ａは、下記の式（６）を用いて、算出した、水蒸気圧ｆｓ１´および飽和水蒸気圧ｆｓ２から、水蒸気圧増加量Δｆ（単位：ｋＰａ）を算出する。
Δｆ＝ｆｓ２−ｆｓ１´・・・（６）
次に、第３演算部１１３Ａは、温度２０℃、相対湿度３０％における水蒸気圧増加量Δｆｂを、上述した手順と同様にして算出する。
【００８２】
次に、第３演算部１１３Ａは、下記の式（７）を用いて、算出した、水蒸気圧増加量Δｆおよび水蒸気圧増加量Δｆｂから、補正係数αを算出する。
α＝Δｆ／Δｆｂ・・・（７）
次に、第３演算部１１３Ａは、予め記憶部１０２に記憶されている、温度２０℃、相対湿度３０％における単位時間当たりの加湿量Ｕｒａに算出した補正係数αを乗算することにより、空気清浄器１０Ａにおける単位時間当たりの加湿量Ｕｒａを算出する。そして、第３演算部１１３は、加湿フィルタ４１が交換されてから現在までの時間に対して、単位時間当たりの加湿量Ｕｒａを時間積分することにより、加湿フィルタ４１が交換されてから現在までの総加湿量Ｕ２を算出する。
【００８３】
そして、第３演算部１１３Ａは、上記の式（２）を用いて、加湿フィルタ４１の消耗度を算出する。これ以降の処理は、実施形態１における処理と同様であるため説明を省略する。
【００８４】
以上のように、本実施形態における制御システム１Ａでは、空気清浄器１０の周囲の温度Ｔ、および空気清浄器１０の周囲の相対湿度Ｈを用いて加湿フィルタ４１の消耗度を算出する。これにより、加湿フィルタ４１の消耗度を従来よりも精度良く算出することができるようになっている。
【００８５】
なお、本実施形態では、第３演算部１１３は、空気清浄器１０の周囲の温度Ｔを用いて、加湿フィルタ４１の消耗度を算出していたが、本発明の制御システムはこれに限られない。本発明の一態様における制御システムでは、給水タンク４３に水温計を設け、当該水温計により測定した給水タンク４３に貯留されている水の温度を用いて、補正係数を算出し、総加湿量Ｕ２を算出する態様であってもよい。
【００８６】
〔実施形態３〕
本発明の他の実施形態について、図面に基づいて説明すれば、以下のとおりである。なお、説明の便宜上、前記実施形態にて説明した部材と同じ機能を有する部材については、同じ符号を付記し、その説明を省略する。
【００８７】
本実施形態における制御システム１Ｂでは、各フィルタ（集塵フィルタ２１、脱臭フィルタ３１、および加湿フィルタ４１）の消耗度、および各フィルタを交換すべき旨を、ユーザに報知する方法が実施形態１における制御システム１とは異なっている。
【００８８】
図４は、実施形態３における制御システム１Ｂの構成を示すブロック図である。
【００８９】
図４に示すように、制御システム１Ｂは、制御システム１の構成に加えて、情報処理端末２を備えている。情報処理端末２は、例えば、スマートフォンなどの携帯電話機、タブレット端末、コンピュータ（ＰＣなど）、スマートウオッチである。情報処理端末２は、ネットワークＮＷを介して、サーバ１００と接続されている。情報処理端末２は、有線通信によりネットワークＮＷに接続されてもよいし、無線通信によりネットワークＮＷに接続されてもよい。
【００９０】
情報処理端末２は、ネットワークＮＷを介して、サーバ１００から出力された、各フィルタ（集塵フィルタ２１、脱臭フィルタ３１、および加湿フィルタ４１）の消耗度を取得する。情報処理端末２は、表示部（第２報知部）２ａを備えている。情報処理端末２は、取得した各フィルタ（集塵フィルタ２１、脱臭フィルタ３１、および加湿フィルタ４１）の消耗度および各フィルタを交換すべき旨を表示部２ａによりユーザに表示（報知）する。
【００９１】
以上のように、本実施形態における制御システム１Ｂでは、情報処理端末２によって各フィルタ（集塵フィルタ２１、脱臭フィルタ３１、および加湿フィルタ４１）の消耗度および各フィルタを交換すべき旨をユーザに表示（報知）する。これにより、ユーザに対する利便性を向上させることができる。
【００９２】
なお、本発明の一態様における制御システムでは、空気清浄器１０と通信（例えば、近距離無線通信）できる、情報処理装置としての情報処理端末２（例えば、スマートフォン）において、各フィルタ（集塵フィルタ２１、脱臭フィルタ３１、および加湿フィルタ４１）の消耗度を算出する態様であってもよい。これにより、空気清浄器１０における演算処理の負荷を低減させることができる。
【００９３】
なお、上述の各実施形態では、各フィルタの消耗度を算出する態様について説明したが、例えば、加湿部が銀イオンカートリッジを備えている場合には、銀イオンカートリッジの消耗度をサーバ１００にて算出し、ユーザに報知してもよい。
【００９４】
〔ソフトウェアによる実現例〕
空気清浄器１０の制御ブロック（制御部７０）およびサーバ１００の制御ブロック（制御部１０３）は、集積回路（ＩＣチップ）等に形成された論理回路（ハードウェア）によって実現してもよいし、ＣＰＵ（Central Processing Unit）を用いてソフトウェアによって実現してもよい。
【００９５】
後者の場合、空気清浄器１０およびサーバ１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９６】
〔まとめ〕
本発明の態様１に係る制御システム（１、１Ａ、１Ｂ）は、ファン（１２）により吸い込んだ空気を、フィルタ（集塵フィルタ２１、脱臭フィルタ３１、加湿フィルタ４１）を用いて清浄する空気清浄器（１０、１０Ａ）を制御する制御システムであって、サーバ（１００、１００Ａ）と、前記空気清浄器とを備えており、前記空気清浄器は、前記フィルタの消耗度を算出するための情報を前記サーバに出力し、前記サーバは、前記空気清浄器から出力された前記情報に基づいて、前記フィルタの消耗度を算出し、算出した消耗度をユーザに報知することを特徴とする。
【００９７】
上記の特徴によれば、フィルタの消耗度の算出をサーバにて行うことができる。その結果、空気清浄器の演算処理の負荷を低減することができるとともに、フィルタの消耗度、および各フィルタを交換すべき旨をユーザに報知することができる。
【００９８】
本発明の態様２に係る制御システムは、上記態様１において、前記空気清浄器は、第１報知部（表示部６０）を備えており、前記サーバは、前記算出した前記フィルタの消耗度を前記空気清浄器に出力し、前記空気清浄器は、前記サーバから出力された前記フィルタの消耗度を前記第１報知部により報知する構成であってもよい。
【００９９】
上記の構成によれば、空気清浄器を用いてユーザにフィルタの消耗度を報知することができる。
【０１００】
本発明の態様３に係る制御システムは、上記態様１において、前記サーバとの通信を行う情報処理端末（２）を備え、前記情報処理端末は、第２報知部（表示部２ａ）を備え、前記サーバは、前記算出した前記フィルタの消耗度を前記情報処理端末に出力し、前記情報処理端末は、前記サーバから出力された前記フィルタの消耗度を前記第２報知部により報知する構成であってもよい。
【０１０１】
上記の構成によれば、情報処理端末を用いてユーザにフィルタの消耗度を報知することができる。これにより、ユーザに対する利便性を向上させることができる。
【０１０２】
本発明の態様４に係る制御システムは、上記態様１〜３のいずれかにおいて、前記空気清浄器は、前記フィルタとして、前記空気に含まれる塵埃を捕集する集塵フィルタ（２１）と、前記集塵フィルタの風上側に配置され、前記集塵フィルタを通過する空気に含まれる単位体積当たりの塵埃の粒子個数を検知する塵埃センサ（２２）とを備え、前記ファンの駆動情報および、前記塵埃センサが検知した前記粒子個数を前記情報として前記サーバに出力し、前記サーバは、前記ファンの駆動情報および前記粒子個数に基づいて、前記集塵フィルタに蓄積された総集塵量を算出し、当該総集塵量に基づいて前記集塵フィルタの消耗度を算出する構成であってもよい。
【０１０３】
上記の構成によれば、塵埃センサによって、集塵フィルタに蓄積される集塵量を直接検出することができる。そのため、集塵量を精度良く算出することができ、集塵フィルタの消耗度を精度良く算出することができる。
【０１０４】
本発明の態様５に係る制御システムは、上記態様１〜４のいずれかにおいて、前記空気清浄器は、前記フィルタとして、前記空気に含まれる臭気物質を捕集する脱臭フィルタ（３１）と、前記脱臭フィルタの風上側に配置され、前記脱臭フィルタを通過する空気に含まれる臭気物質の濃度を検知するガスセンサ（３２）とを備え、前記ファンの駆動情報および、前記ガスセンサが検知した前記臭気物質の濃度を前記情報として前記サーバに出力し、前記サーバは、前記ファンの駆動情報および前記臭気物質の濃度に基づいて、前記脱臭フィルタに蓄積された総臭気物量を算出し、当該総臭気物量に基づいて前記脱臭フィルタの消耗度を算出する構成であってもよい。
【０１０５】
上記の構成によれば、ガスセンサによって、脱臭フィルタに吸着される臭気物量を直接検出することができる。そのため、吸着された臭気物量を精度良く算出することができ、脱臭フィルタの消耗度を精度良く算出することができる。
【０１０６】
本発明の態様６に係る制御システムは、上記態様１〜５のいずれかにおいて、前記空気清浄器は、前記フィルタとして、前記空気に水分を供給する加湿フィルタ（４１）と、前記加湿フィルタに水を供給する水槽（４２）と、前記水槽に水を供給する給水タンク（４３）と、前記給水タンクに貯留されている水量を検知する水量検出センサ（４４）とを備え、前記水量検出センサが検知した前記給水タンクに貯留されている水量を前記情報として前記サーバに出力し、前記サーバは、前記給水タンクに貯留されている水量に基づいて、前記加湿フィルタの消耗度を算出する構成であってもよい。
【０１０７】
上記の構成によれば、加湿フィルタによる加湿量を直接検出しているので、加湿フィルタの消耗度を精度良く算出することができる。
【０１０８】
本発明の態様７に係る制御システムは、上記態様１〜５のいずれかにおいて、前記空気清浄器は、前記フィルタとして、前記空気に水分を供給する加湿フィルタ（４１）と、前記空気清浄器の周辺の温度を測定する温度計（８０）と、前記空気清浄器の周辺の湿度を測定する湿度計（９０）とを備え、前記温度計が測定した温度、および前記湿度計が測定した湿度を前記情報として前記サーバに出力し、前記サーバは、前記温度および前記湿度に基づいて、前記加湿フィルタの消耗度を算出する構成であってもよい。
【０１０９】
上記の構成によれば、空気清浄器の周辺の温度、および、空気清浄器の周辺の湿度を用いているため、加湿フィルタの消耗度を従来よりも精度良く算出することができる。
【０１１０】
本発明の態様８に係る情報処理装置（サーバ１００、１００Ａ）は、ファン（１２）により吸い込んだ空気を、フィルタ（集塵フィルタ２１、脱臭フィルタ３１、加湿フィルタ４１）を用いて清浄する空気清浄器（１０、１０Ａ）から、前記フィルタの消耗度を算出するための情報を取得する取得部（制御部１０３）と、前記取得した情報に基づいて、前記フィルタの消耗度を算出する算出部（第１演算部１１１、第２演算部１１２、第３演算部１１３）と、前記算出した消耗度を前記空気清浄器に出力する出力部（制御部１０３）とを備える。
【０１１１】
上記の特徴によれば、空気清浄器の代わりに、情報処理端末がフィルタの消耗度を算出するので、空気清浄器の演算処理の負荷を低減することができる。
【０１１２】
本発明の態様９に係る空気清浄器（１０、１０Ａ）は、ファン（１２）により吸い込んだ空気を、フィルタ（集塵フィルタ２１、脱臭フィルタ３１、加湿フィルタ４１）を用いて清浄する空気清浄器であって、前記フィルタの消耗度を算出するための情報を出力する出力部（７１）と、前記情報に基づいて算出された前記消耗度を取得する取得部（７２）と、前記取得した消耗度を報知する第１報知部（表示部６０）とを備えることを特徴とする。
【０１１３】
上記の特徴によれば、空気清浄器本体において、フィルタの消耗度を算出する必要が無いため、空気清浄器の演算処理の負荷を低減することができるとともに、ユーザに対してフィルタの消耗度、および各フィルタを交換すべき旨をユーザに報知することができる。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１５】
１、１Ａ、１Ｂ    制御システム
２                情報処理端末
２ａ              表示部（第２報知部）
１２              ファン
２１              集塵フィルタ（フィルタ）・
２２              塵埃センサ
３１              脱臭フィルタ
３２              ガスセンサ
４１              加湿フィルタ
４２              水槽
４３              給水タンク
４４              水量検出センサ
６０              表示部（第１報知部）
７１              出力部
７２              取得部
８０              温度計
９０              湿度計
１００、１００Ａ  サーバ
１０３、１０３Ａ  制御部（取得部、出力部）
１１１            第１演算部（算出部）
１１２            第２演算部（算出部）
１１３、１１３Ａ  第３演算部（算出部）
【図１】
2018179389.tif 000003
【図２】
2018179389.tif 000004
【図３】
2018179389.tif 000005
【図４】
2018179389.tif 000006